(57)【要約】【課題】きのこ菌を培地の表面に均一に接種することができと共に、高さの異なるきのこ種菌瓶もセットできるきのこ菌接種機を提供するものである。【解決手段】本体部２の前面に支持板３を突設し、ここにきのこ菌排出部４を開口すると共に、この上に倒立して取付けられるきのこ種菌瓶５の肩部５ｅを支持する支持リング２８を取付け、きのこ種菌瓶５の上部を支持する上部支持キャップ３１を本体部２に取付け、ここに瓶５を回転させる瓶駆動機構１２を設け、支持板３のきのこ菌排出部４を開口した下部に、投入ガイド筒２０を取付け、ここを通して菌排出部４を下方から貫通して瓶の内側に挿着されるアーム１１を昇降自在に取付け、この上端に、瓶内壁に摺接する昇降スクレーパー１４を取付け、投入ガイド筒２０の下端内周に、下方に向かって内径を狭く形成したテーパー壁２７を形成すると共に、上部支持キャップ３１を本体部２に上下動自在に取付けたものである。  【選択図】  図１
2008301760.tif 000002
【特許請求の範囲】
【請求項１】
モータを内蔵した本体部の前面に支持板を突設し、ここにきのこ菌排出部を開口すると共に、このきのこ菌排出部の上に、倒立して取付けられるきのこ種菌瓶の瓶肩部を支持する支持リングを取付け、この倒立したきのこ種菌瓶の上部を支持する上部支持キャップを本体部に取付け、この上部支持キャップに前記モータと接続して瓶を回転させる瓶駆動機構を設け、前記支持板のきのこ菌排出部を開口した下部に、きのこ菌を栽培容器に投入する円筒状の投入ガイド筒を取付け、この背面にアームが通過する縦溝を形成し、この縦溝を通して菌排出部を下方から貫通して瓶の内側に挿着される前記アームを前記本体部に昇降自在に取付け、このアームの上端に、瓶内壁に摺接する昇降スクレーパーを取付けたきのこ菌接種機において、前記円筒状の投入ガイド筒の下端内周に、下方に向かって内径を狭く形成したテーパー壁を形成すると共に、前記上部支持キャップを本体部に上下動自在に取付けたことを特徴とするきのこ菌接種機。
【請求項２】
テーパー壁の下端内径ｄが、投入ガイド筒の内径Ｄの０．３〜０．８Ｄで、テーパー壁の傾斜角度αが水平面に対して４０〜８０度に形成されていることを特徴とする請求項１記載のきのこ菌接種機。
【請求項３】
上端に昇降スクレーパーを取付けたアームの上昇範囲を規定するストッパーを本体部に設けたことを特徴とする請求項１記載のきのこ菌接種機。
【請求項４】
支持リングがプラスチックで形成されていることを特徴とする請求項１記載のきのこ菌接種機。                                                        
【発明の詳細な説明】
【技術分野】
【０００１】
本発明は、きのこ菌を培地に均一に散布すると共に、種々の高さのきのこ種菌瓶を取付けられる機構を改良したきのこ菌接種機に関するものである。
【背景技術】
【０００２】
シイタケやナメコなどのきのこ類を人工栽培する場合、培地を入れた栽培袋や栽培瓶などの栽培容器に、きのこ菌を接種してから、栽培袋の開口部を熱シールするかキャップを取付けて密閉してから培養している。このきのこ栽培は、近年、大規模化しており、接種作業は無菌室で１時間に数百もの栽培容器にきのこ菌を接種している。
【０００３】
従来のきのこ菌接種機１は、図５に示すように、モータを内蔵した本体部２の下部前面に支持板３を下方に傾斜して突設し、この中央部にきのこ菌排出部４が開口されている。このきのこ菌排出部４の上に、倒立して取付けられるきのこ種菌瓶５の口部５ｃを回転自在に支持する回転支持リング７が取付けられている。更にこの回転支持リング７の上方の本体部２の前面に、瓶５の上部にキャップ状に被せてこれを支持する上部支持キャップ９が上下方向に回動自在に取付けられ、この上部支持キャップ９に前記モータに接続して瓶５をベルト１０で回転させるプーリー状の瓶駆動機構１２が形成されている。
【０００４】
またアーム１１は、前記支持板３に開口した菌排出部４を下方から貫通して瓶５の内側に挿着され、その基端側は本体部２に設けた昇降装置の昇降ロッド１３に取付けられている。このアーム１１の先端には、瓶内壁５ａに摺接する昇降スクレーパー１４が取付けられている。更に瓶の肩部内壁５ｂに摺接する固定スクレーパー１５が前記アーム１１に遊嵌状に取付けられている。
【０００５】
更に支持板３のきのこ菌排出部４の下部には、培地１８を詰めた栽培袋１９にきのこ菌１７を投入する投入ガイド筒２０が取付けられている。この投入ガイド筒２０は、その下部開口部に丸棒状の散乱棒２１が取付けられている。また投入ガイド筒２０の背面には、アーム１１が上下動する縦溝２２が開口されている（特許文献１）。
【０００６】
上記従来のきのこ菌接種機は、支持板３の下部に投入ガイド筒２０を取付け、この縦溝２２からアーム１１を挿着し、その上端の昇降スクレーパー１４と固定スクレーパー１５をきのこ菌排出部４にセットしておく。この状態で、上部支持キャップ９を上方に回動させ、きのこ種菌瓶５を倒立させて瓶の口部５ｃを回転支持リング７に支持させて、上部支持キャップ９を下げて支持する。
【０００７】
次に栽培袋１９を投入ガイド筒２０の下方に位置させた後、栽培袋１９の口部を広げて、スタートスイッチを押すと、図示しない本体部２内のモータが駆動し、ベルト１０によりプーリー状の瓶駆動機構１２が回転し、これに支持されたきのこ種菌瓶５が回転し始める。
【０００８】
一方、前記モータにより昇降機構が駆動し、昇降ロッド１３と共にアーム１１が上昇し、その先端に接続した昇降スクレーパー１４が、回転している瓶内壁５ａに摺接して、きのこ菌１７が掻き取られて瓶の口部５ｃから落下する。落下したきのこ菌１７は、投入ガイド筒２０を通り、その開口部に設けた散乱棒２１に衝突して横方向に広がって栽培袋１９の培地１８の表面に接種される。
【０００９】
しかしながら、投入ガイド筒２０の開口部の中心に設けた散乱棒２１では、投入ガイド筒２０の内周付近から落下するきのこ菌１７が十分に衝突せず、特に角筒形の栽培袋１９の場合には、全面に均一に散布できず菌糸の成長にバラツキがでる問題があった。
【００１０】
またきのこ種菌瓶５の上部を支持する上部支持キャップ９は、単に上下に回動するだけで、きのこ種菌瓶５の高さが異なる場合にはセットできない問題があり、同様にアーム１１の上昇範囲をきのこ種菌瓶の高さに応じて調整する機構がなく、種々の種菌瓶に対応できなかった。また、きのこ種菌瓶５の下部を支持する回転支持リング７は、ベアリングを内蔵した複雑な構成であり、装置の組立が面倒であった。
【特許文献１】特開２００４−１６０６９
【発明の開示】
【発明が解決しようとする課題】
【００１１】
本発明は上記問題を改善し、極めて簡単な構造により、きのこ菌を培地の表面に均一に接種することができると共に、高さの異なるきのこ種菌瓶もセットすることができるきのこ菌接種機を提供するものである。
【課題を解決するための手段】
【００１２】
本発明の請求項１記載のきのこ菌接種機は、モータを内蔵した本体部の前面に支持板を突設し、ここにきのこ菌排出部を開口すると共に、このきのこ菌排出部の上に、倒立して取付けられるきのこ種菌瓶の瓶肩部を支持する支持リングを取付け、この倒立したきのこ種菌瓶の上部を支持する上部支持キャップを本体部に取付け、この上部支持キャップに前記モータと接続して瓶を回転させる瓶駆動機構を設け、前記支持板のきのこ菌排出部を開口した下部に、きのこ菌を栽培容器に投入する円筒状の投入ガイド筒を取付け、この背面にアームが通過する縦溝を形成し、この縦溝を通して菌排出部を下方から貫通して瓶の内側に挿着される前記アームを前記本体部に昇降自在に取付け、このアームの上端に、瓶内壁に摺接する昇降スクレーパーを取付けたきのこ菌接種機において、前記円筒状の投入ガイド筒の下端内周に、下方に向かって内径を狭く形成したテーパー壁を形成すると共に、前記上部支持キャップを本体部に上下動自在に取付けたことを特徴とするものである。
【００１３】
本発明の請求項２記載のきのこ菌接種機は、請求項１において、テーパー壁の下端内径ｄが、投入ガイド筒の内径Ｄの０．３〜０．８Ｄで、テーパー壁の傾斜角度αが水平面に対して４０〜８０度に形成されていることを特徴とするものである。
【００１４】
本発明の請求項３記載のきのこ菌接種機は、請求項１において、上端に昇降スクレーパーを取付けたアームの上昇範囲を規定するストッパーを本体部に設けたことを特徴とするものである。
【００１５】
本発明の請求項４記載のきのこ菌接種機は、請求項１において、支持リングがプラスチックで形成されていることを特徴とするものである。
【発明の効果】
【００１６】
本発明に係る請求項１記載のきのこ菌接種機によれば、きのこ種菌瓶を回転させながら、昇降スクレーパーできのこ菌１７を掻き取り、これを投入ガイド筒を通して、テーパー壁に衝突させて、栽培容器に落下させるので、きのこ菌を培地の表面に均一に接種することができる。この結果、きのこ菌の伸長が速く、生産コストを削減して収率を向上させることができる。また上部支持キャップを本体部に上下動自在に取付けたので、きのこ種菌瓶のセットや取り外し作業が容易で、しかも高さの異なるきのこ種菌瓶もセットすることができる。
【００１７】
また請求項２記載のきのこ菌接種機によれば、テーパー壁の下端内径と、傾斜角度を規定したので、角型や丸型など種々の形状の栽培容器の培地表面に均一に接種することができる。
【００１８】
また請求項３記載のきのこ菌接種機によれば、上端に昇降スクレーパーを取付けたアームの上昇範囲を規定するストッパーを本体部に設けたので、高さの異なる種々のきのこ種菌瓶にも対応して、無駄なくきのこ菌を散布することができる。
【００１９】
また請求項４記載のきのこ菌接種機によれば、アームの先端に取付けた昇降スクレーパーが、回転している瓶内壁に摺接しながら上昇していくので、きのこ種菌瓶がやや持ち上げられた状態となって、肩部と支持リングとの間に隙間ができるので、支持リングをベアリングのない安価なプラスチックで形成することができる。
【発明を実施するための最良の形態】
【００２０】
以下本発明の実施の一形態を図１ないし図４を参照して詳細に説明する。図において２５はきのこ菌接種機を示すもので、本体部２内に瓶回転用モータ２６とこの下部にアーム昇降用モータ２７が設けられている。本体部２の下部前面には支持板３が突設され、この中央部に円形のきのこ菌排出部４が開口されている。このきのこ菌排出部４の上に、耐摩耗性を有する硬質プラスチックで形成された支持リング２８が取付けられている。
【００２１】
更にこの支持リング２８の上方の本体部２の前面に、上部支持板３０が突設され、ここに上部支持キャップ３１を上下動自在に支持する支持機構３２が設けられている。この支持機構３２は図２に示すように、上部支持キャップ３１の上部に接続した下部取付板３３の上部に２本のシャフト３４が突設され、このシャフト３４が上下動自在に貫通するガイドブッシュ３５が上部支持板３０に取付けられている。
【００２２】
またシャフト３４の上部には上部取付板３７が接続され、この中間と、前記上部支持板３０との間にコイルスプリング３８が取付けられていると共に、コイルスプリング３８の両側の上部取付板３７にストッパー３９が取付けられ、この下端に調整ボルト４０が螺合している。
【００２３】
また上部支持キャップ３１には図１に示すように、瓶駆動機構１２が形成され、これはキャップ外周に形成されたプーリー４１Ａと、瓶回転用モータ２６Ｂに取付けたプーリー４１Ｂとをベルト１０で連結した構成となっている。なお３６は下部取付板３３に取付けたハンドルである。
【００２４】
また前記アーム１１はＬ字形に形成され、その先端部に昇降スクレーパー１４が取付けられ、基端部がアーム支持材１６の先端側に弾性的に支持されて矢印方向に付勢されている。またこのアーム支持材１６の基端側は垂直な昇降ロッド１３に接続されている。昇降ロッド１３はアーム昇降用モータ２７に接続されたギアーボックス４２に噛合し、アーム昇降用モータ２７の回転によりアーム１１が昇降するようになっている。
【００２５】
また昇降ロッド１３の横には図２に示すようにこれと平行にシャフト４３が取付けられ、その上部が本体部２のガイドブッシュ３５を貫通して、上端にストッパー４４が取付けられている。またこのストッパー４４に近接して本体部２の内側壁には、上下に間隔をおいてリミットスイッチ４５Ａ、４５Ｂが上下に可動自在に取付けられ、アーム１１の昇降範囲を規定するようになっている。
【００２６】
更に支持板３のきのこ菌排出部４の下部には、透明なプラスチックで形成された円筒状の投入ガイド筒２０が取付けられ、その背面には図４に示すように、前記アーム１１が挿入されて上下動する縦溝２２が開口されている。また投入ガイド筒２０の下端内周には、下方に向かって内径を狭く形成したテーパー壁４７が形成されている。テーパー壁４７は、下端内径ｄが投入ガイド筒２０の内径Ｄの０．３〜０．８Ｄで、テーパー壁４７の傾斜角度αが水平面に対して４０〜８０度に形成されている。
【００２７】
またこのきのこ菌接種機１の前方には、図２に示すようにベルトコンベアー５０Ａ、５０Ｂが設置され、この侵入側のベルトコンベアー５０Ａに対向して本体部２側にシリンダーストッパー５１が設けられていると共に、この近傍にセンサー５２が取付けられている。また侵入側のベルトコンベアー５０Ａの上方の、本体部２の下方には吸引装置５４が設けられ、栽培袋１９の開口部を吸引して開口するようになっている。また排出側のベルトコンベアー５０Ｂの上方には、栽培袋１９の口部を熱融着して密閉する熱シール装置５５が設置されている。なお５６は吸引装置５４と熱シール装置５５に取付けたシリンダーである。５７は吸引装置５４に取付けた吸引ダクトである。
【００２８】
上記構成のきのこ菌接種機は、先ず図２に示すようにきのこ種菌瓶５の高さに合わせて、支持機構３２の調整ボルト４０の長さを調整しておく。またきのこ種菌瓶５の高さに合わせて、本体部２の内壁に可動自在に取付けたリミットスイッチ４５Ａ、４５Ｂの間隔を調整しておく。また図示しない制御機構で、きのこ種菌瓶５の回転速度や昇降スクレーパー１４の上昇速度を設定して、きのこ菌１７の接種量を調整しておく。
【００２９】
次にハンドル３６を上方にスライドさせて図１に示すように、きのこ種菌瓶５を倒立させて瓶の口部５ｃから昇降スクレーパー１４を入れて、支持リング２８に挿着し、肩部５ｅを支持させてから、上部支持キャップ３１を底部５ｄに被せて支持する。次に図２に示すように侵入側のベルトコンベアー５０Ａの上に、培地１８を入れた複数の角型の栽培袋１９を載せる。この後、制御装置のスイッチを入れると、侵入側のベルトコンベアー５０Ａが駆動して栽培袋１９が搬送され、シリンダーストッパー５１で停止する。
【００３０】
この時、センサー５２が栽培袋１９を検知してベルトコンベアー５０Ａが停止すると、シリンダーストッパー５１が後退すると共に、吸引装置５４が駆動して栽培袋１９の開口部を吸引して広げた後、瓶回転用モータ２６とアーム昇降用モータ２７が一定時間駆動する。瓶回転用モータ２６が回転すると図２に示すように、ベルト４０により瓶駆動機構１２が回転し、これに支持されたきのこ種菌瓶５が回転し始める。
【００３１】
一方、アーム昇降用モータ２７の回転により昇降ロッド１３とアーム１１が一体に上昇し、ヒンジ状のアーム支持材１６で弾性的に支持されたアーム１１の先端に取付けた昇降スクレーパー１４が、回転している瓶内壁５ａに摺接して、きのこ菌１７が掻き取られて瓶の口部５ｃから落下する。落下したきのこ菌１７はきのこ菌排出部４から、投入ガイド筒２０を通り、その開口部に形成したテーパー壁４７に衝突して斜め横方向に広がって栽培袋１９の培地１８の表面に均一に接種される。
【００３２】
接種が終わったら図２に示すように、再びシリンダーストッパー５１が進出してベルトコンベアー５０Ａ、５０Ｂが回転し、新しい栽培袋１９が搬送されてきて停止すると共に、接種が終わった栽培袋１９はベルトコンベアー５０Ｂで搬送されて熱シール装置５５の間で停止し、ここで開口部が熱シールされる。以下同様の操作によって、栽培袋１９に順次きのこ菌１７の接種を行なって熱シールしてから排出される。
【００３３】
この場合、投入ガイド筒２０の下部には図４に示すようにテーパー壁４７が形成され、これは下端内径ｄが投入ガイド筒２０の内径Ｄの０．３〜０．８Ｄで、テーパー壁４７の傾斜角度αが水平面に対して４０〜８０度に形成されているので、掻き取られて落下してきたきのこ菌１７の大部分がこのテーパー壁４７に衝突して、反対側に飛ばされるので、広い範囲にわたって均一に散布することができる。
【００３４】
なお下端内径ｄが０．３Ｄ未満で傾斜角度αが水平面に対して４０度未満であると広い範囲に散布できず、また下端内径ｄが０．８Ｄを超え、傾斜角度αが水平面に対して８０度を超えるとテーパー壁４７に衝突するきのこ菌１７の割合が少なくなり、均一な散布が行なわれない恐れがあるので、上記範囲に規定した。
【００３５】
また支持リング２８は、きのこ種菌瓶５の肩部５ｅを支えるように倒立してセットするが、アーム１１がヒンジ状のアーム支持材１６で弾性的に支持され、アーム１１の先端に取付けた昇降スクレーパー１４が、回転している瓶内壁５ａに摺接しながらアーム１１が上昇していくので、図３に示すようにきのこ種菌瓶５もやや持ち上げられた状態となる。このため肩部５ｅと支持リング２８との間に隙間Ｇができ、接触しないで回転するので、従来のようなベアリングを内蔵した複雑な機構が不要である。
【００３６】
なお上記説明では角型の栽培袋１９に接種する場合について示したが、丸型の栽培袋１９に接種する場合にも適用することができる。また本発明は栽培袋１９に限らず栽培容器としてプラスチック瓶に接種する場合にも適用することができる。
【図面の簡単な説明】
【００３７】
【図１】本発明の実施の一形態によるきのこ菌接種機を示す縦断側面図である。
【図２】図１のきのこ菌接種機を示す正面図である。
【図３】図１のきのこ種菌瓶の支持機構を示す断面図である。
【図４】図１の投入ガイド筒を示す断面図である。
【図５】従来のきのこ菌接種機を示す側面図である。
【符号の説明】
【００３８】
１    きのこ菌接種機                                        
２    本体部                                                
３    支持板                                                
４    きのこ菌排出部                                        
５    きのこ種菌瓶                                          
７    回転支持リング    
９    上部支持キャップ      
１０  ベルト                                                
１１  アーム                                                
１２  瓶駆動機構                                            
１３  昇降ロッド                                            
１４  昇降スクレーパー                                      
１６  アーム支持材                                          
１７  きのこ菌                                              
１８  培地                                                  
１９  栽培袋                                                
２０  投入ガイド筒                                          
２１  散乱棒                                                
２２  縦溝                                                  
２５  きのこ菌接種機                                        
２６  瓶回転用モータ                                        
２７  アーム昇降用モータ                                    
２８  支持リング                                            
３１  上部支持キャップ                                      
３２  支持機構                                              
３９  ストッパー                                            
４０  調整ボルト                                            
４２  ギアーボックス                                        
４３  シャフト                                              
４４  ストッパー                                            
４５Ａ、４５Ｂ  リミットスイッチ                            
４７  テーパー壁  
５０Ａ、５０Ｂ  ベルトコンベアー    
５１  シリンダーストッパー  
５２  センサー        
５４  吸引装置      
５５  熱シール装置      
【図１】
2008301760.tif 000003
【図２】
2008301760.tif 000004
【図３】
2008301760.tif 000005
【図４】
2008301760.tif 000006
【図５】
2008301760.tif 000007